(57)【要約】【課題】携帯端末の機能の利用者による理解に応じて、機能の利用制限を行なう。【解決手段】本発明の携帯端末は、機能の利用制限が設定可能な携帯端末であって、外部からの入力を受け付ける入力受付部と、前記機能に関する問題と該問題の回答とを記憶する検定テーブル部と、前記機能の利用制限を行なう制御部と、前記入力受付部を介して、前記利用制限された機能の利用要求が入力されると、前記検定テーブル部に記憶された、前記利用制限された機能に関する問題を提示する問題提示部と、前記入力受付部を介して、前記提示された問題に対する回答が入力されると、該入力された回答と前記検定テーブル部に記憶された回答とを照合して正誤を判定し、判定結果を前記制御部に出力する回答照合部と、を有し、前記制御部は、前記正誤の判定結果が所定の基準に達しているか否かを判定し、所定の基準に達していれば、前記機能の利用制限を解除する。【選択図】図１
2012070143.tif 000002
【特許請求の範囲】
【請求項１】
機能の利用制限が設定可能な携帯端末であって、
外部からの入力を受け付ける入力受付部と、
前記機能に関する問題と該問題の回答とを記憶する検定テーブル部と、
前記機能の利用制限を行なう制御部と、
前記入力受付部を介して、前記利用制限された機能の利用要求が入力されると、前記検定テーブル部に記憶された、前記利用制限された機能に関する問題を提示する問題提示部と、
前記入力受付部を介して、前記提示された問題に対する回答が入力されると、該入力された回答と前記検定テーブル部に記憶された回答とを照合して正誤を判定し、判定結果を前記制御部に出力する回答照合部と、を有し、
前記制御部は、前記正誤の判定結果が所定の基準に達しているか否かを判定し、所定の基準に達していれば、前記機能の利用制限を解除することを特徴とする携帯端末。
【請求項２】
請求項１記載の携帯端末において、
前記機能の利用制限は管理者により設定され、
前記制御部は、前記管理者により、前記入力受付部を介して前記機能の利用制限の設定が入力されると、該機能の利用制限を行なうことを特徴とする携帯端末。
【請求項３】
請求項２記載の携帯端末において、
前記制御部は、パスワードの入力により、前記入力受付部への入力者を管理者として認定することを特徴とする携帯端末。
【請求項４】
請求項２または請求項３記載の携帯端末であって、
前記入力受付部は、前記管理者からの、前記機能に関する問題および該問題の回答の入力をさらに受け付け、
前記検定テーブル部は、前記入力受付部を介して入力された前記機能に関する問題および該問題の回答を記憶することを特徴とする携帯端末。
【請求項５】
請求項２ないし請求項４のいずれかに記載の携帯端末であって、
前記入力受付部は、前記管理者からの、前記所定の基準の入力をさらに受け付け、
前記制御部は、前記正誤の判定結果が前記入力受付部を介して入力された前記所定の基準に達しているか否かを判定することを特徴とする携帯端末。
【請求項６】
請求項１ないし請求項５のいずれかに記載の携帯端末であって、
ネットワークを介して、前記機能に関する問題と該問題の回答とを記憶するサーバと接続し、該サーバから前記機能に関する問題と該問題の回答とをダウンロードする通信部をさらに有し、
前記検定テーブル部は、前記通信部によりダウンロードされた前記機能に関する問題と該問題の回答とを記憶することを特徴とする携帯端末。
【請求項７】
請求項１から請求項６のいずれかに記載の携帯端末であって、
前記機能を利用する際の禁止行為を記憶する制限テーブル部をさらに有し、
前記制御部は、前記利用制限を解除された機能の利用状況を監視し、前記制限テーブルに記憶された前記禁止行為が行われた回数に応じて、前記機能の一部または全部の利用制限を行なうことを特徴とする携帯端末。
【請求項８】
請求項７記載の携帯端末であって、
特定の連絡先へ通知を行なう通知部をさらに有し、
前記制御部は、前記禁止行為が行われた回数が所定値に達すると、前記通知部に前記特定の連絡先への通知を行わせることを特徴とする携帯端末。
【請求項９】
機能の利用制限が設定可能な携帯端末の制御方法であって、
入力受付部が、外部からの入力を受け付け、
検定テーブル部が、前記機能に関する問題と該問題の回答とを記憶し、
制御部が、前記機能の利用制限を行い、
問題提示部が、前記入力受付部を介して、前記利用制限された機能の利用要求が入力されると、前記検定テーブル部に記憶された、前記利用制限された機能に関する問題を提示し、
回答照合部が、前記入力受付部を介して、前記提示された問題に対する回答が入力されると、該入力された回答と前記検定テーブル部に記憶された回答とを照合して正誤を判定し、判定結果を前記制御部に出力し、
前記制御部が、前記正誤の判定結果が所定の基準に達しているか否かを判定し、所定の基準に達していれば、前記機能の利用制限を解除することを特徴とする携帯端末の制御方法。
【発明の詳細な説明】
【技術分野】
【０００１】
本発明は、機能の利用制限が設定可能な携帯端末およびその制御方法に関する。
【背景技術】
【０００２】
携帯端末には、メールを送受信するメール機能やインターネットに接続するインターネット接続機能などを有するものがある。近年、携帯端末の利用者が、これらの機能を利用して、有害な情報にアクセスしたり、場合によっては、犯罪、いじめ等に巻き込まれたりすることが社会問題となっている。
【先行技術文献】
【特許文献】
【０００３】
【特許文献１】特開２００９−４９８７８号公報
【発明の概要】
【発明が解決しようとする課題】
【０００４】
上記の問題は、携帯端末の利用者が児童などの保護者の監督下に置かれる利用者である場合にはとくに問題となる。このため、児童などに対しては、学校等の機関や保護者により、携帯端末の機能を利用する際の知識やモラル等の教育が行われている。しかし、利用者の理解の有無に関わらず、携帯端末の機能は利用可能であるため、有害な情報にアクセスしたり、犯罪等に巻き込まれたりするというトラブルから利用者を十分に守ることができない。
【０００５】
また、特許文献１（特開２００９−４９８７８号公報）には、音声により正規の利用者であるか否かを判定し、正規の利用者でなければ機能の利用制限を行う携帯端末が記載されている。しかし、特許文献１に開示の携帯端末は、携帯端末の機能に関する利用者の理解に応じた利用制限を行うものではない。そのため、特許文献１に開示の携帯端末によっても、上述したようなトラブルから利用者を十分に守ることができない。
【０００６】
本発明の目的は、上述した課題を解決することができる携帯端末およびその制御方法を提供することにある。
【課題を解決するための手段】
【０００７】
上記目的を達成するために本発明の携帯端末は、
機能の利用制限が設定可能な携帯端末であって、
外部からの入力を受け付ける入力受付部と、
前記機能に関する問題と該問題の回答とを記憶する検定テーブル部と、
前記機能の利用制限を行なう制御部と、
前記入力受付部を介して、前記利用制限された機能の利用要求が入力されると、前記検定テーブル部に記憶された、前記利用制限された機能に関する問題を提示する問題提示部と、
前記入力受付部を介して、前記提示された問題に対する回答が入力されると、該入力された回答と前記検定テーブル部に記憶された回答とを照合して正誤を判定し、判定結果を前記制御部に出力する回答照合部と、を有し、
前記制御部は、前記正誤の判定結果が所定の基準に達しているか否かを判定し、所定の基準に達していれば、前記機能の利用制限を解除することを特徴とする携帯端末。
【０００８】
上記目的を達成するために本発明の携帯端末の制御方法は、
機能の利用制限が設定可能な携帯端末の制御方法であって、
入力受付部が、外部からの入力を受け付け、
検定テーブル部が、前記機能に関する問題と該問題の回答とを記憶し、
制御部が、前記機能の利用制限を行い、
問題提示部が、前記入力受付部を介して、前記利用制限された機能の利用要求が入力されると、前記検定テーブル部に記憶された、前記利用制限された機能に関する問題を提示し、
回答照合部が、前記入力受付部を介して、前記提示された問題に対する回答が入力されると、該入力された回答と前記検定テーブル部に記憶された回答とを照合して正誤を判定し、判定結果を前記制御部に出力し、
前記制御部が、前記正誤の判定結果が所定の基準に達しているか否かを判定し、所定の基準に達していれば、前記機能の利用制限を解除することを特徴とする携帯端末の制御方法。
【発明の効果】
【０００９】
本発明によれば、携帯端末の機能に関する利用者の理解に応じた利用制限を行なうことができるので、その機能に関する知識やモラル等の理解が不十分なために、利用者がトラブルに巻き込まれる可能性を低減することができる。
【図面の簡単な説明】
【００１０】
【図１】本発明の一実施形態の携帯端末の構成を示すブロック図である。
【図２】図１に示す制限テーブル部の構成を示す図である。
【図３】図１に示す検定テーブル部の構成を示す図である。
【図４】図１に示すステータステーブル部の構成を示す図である。
【図５】図１に示す表示部に表示される画面の一例を示す図である。
【図６】図１に示す携帯端末の動作の一例を示すフローチャートである。
【図７】図１に示す携帯端末の動作の他の一例を示すフローチャートである。
【図８】図１に示す携帯端末の動作の更に他の一例を示すフローチャートである。
【図９】図１に示す検定テーブル部の他の構成を示す図である。
【発明を実施するための形態】
【００１１】
以下に、本発明を実施するための形態について図面を参照して説明する。
【００１２】
図１は、本発明の一実施形態の携帯端末１００の構成を示すブロック図である。
【００１３】
図１を参照すると、携帯端末１００は、中央制御部１０１と、入力受付部１０２と、表示部１０３と、メモリ部１０４と、制限テーブル部１０５と、検定テーブル部１０６と、回答照合部１０７と、ステータステーブル部１０８と、合否判定部１０９と、メーラ部１１０と、タイマ部１１１と、ＮＧカウンタ部１１２と、通信部１１３と、を有する。なお、表示部１０３は、問題提示部の一例である。また、メーラ部１１０は、通知部の一例である。
【００１４】
中央制御部１０１は、各部を制御する。
【００１５】
入力受付部１０２は、外部からの種々の操作の入力を受け付け、入力された操作に対応する制御信号を出力する。なお、入力受付部１０２の具体例としては、キーボードやタッチパネルなどがある。また、入力受付部１０２は、音声による操作の入力を受け付けるようにしてもよい。
【００１６】
表示部１０３は、種々の画面を表示する。
【００１７】
メモリ部１０４は、入力受付部１０２を介して入力された電話番号やメールアドレスを電話帳として記憶し、また、種々の設定値等を記憶する。
【００１８】
制限テーブル部１０５は、利用制限の対象となる携帯端末１００の機能毎に、その機能を利用する際に禁止される行為を規定する利用制限条件を記憶する。なお、利用制限条件は、携帯端末１００の利用者の保護者等である管理者により入力受付部１０２を介して入力される。以下では、利用制限条件に該当する行為を禁止行為と称する。
【００１９】
図２は、制限テーブル部１０５の構成を示す図である。なお、図２においては、メール機能についての利用制限条件を例として説明する。
【００２０】
管理者と利用者との間で、学校ではメールを使用しない（第１のルール）、夜十時以降はメールを送らない（第２のルール）、知らない人とはメールをしない（第３のルール）、友達の悪口をいわない（第４のルール）、というルールが取り決められたとする。
【００２１】
この場合、管理者は、メール機能の利用が禁止行為となる時間帯である制限時間として、第１のルールに則り、月曜から金曜の８：３０から１４：３０まで、また、第２のルールに則り、月曜から日曜の２２：００から７：００までを入力する。また、管理者は、メール機能を利用した通信が禁止行為となる通信相手である制限通信相手として、第３のルールに則り、電話帳に未登録の通信相手を入力し、メール本文中で使用が禁止行為となる制限文字として、第４のルールに則り、特定の文字（ＡＡＡ，ＢＢＢ，・・・）を入力する。
【００２２】
制限テーブル部１０５は、図２に示すように、管理者により利用制限条件として入力された制限時間、制限通信相手、および制限文字を記憶する。
【００２３】
再び、図１を参照すると、検定テーブル部１０６は、利用制限される機能毎に、その機能の利用制限を解除するか否かを判定する検定試験に出題される問題などを記憶する。なお、問題などは、管理者により入力受付部１０２を介して入力される。
【００２４】
図３は、検定テーブル部１０６の構成を示す図である。なお、図３においては、メール機能に関する検定試験を例として説明する。
【００２５】
検定テーブル部１０６は、図３に示すように、メール機能に関する検定試験に出題される問題と、その問題の回答案（選択肢）と、その問題の回答と、利用者へのアドバイスと、を記憶する。
【００２６】
再び、図１を参照すると、回答照合部１０７は、検定試験で出題された問題に対する回答が入力受付部１０２を介して利用者から入力されると、入力された回答と検定テーブル部１０６に記憶された回答とを照合して正誤を判定し、判定結果を合否判定部１０９に出力する。
【００２７】
ステータステーブル部１０８は、利用制限される機能毎に、その機能に関する検定試験の合否結果などを記憶する。
【００２８】
図４は、ステータステーブル部１０８の構成を示す図である。なお、図４においては、メール機能に関する検定試験の合否結果などを例として説明する。
【００２９】
図４に示すように、ステータステーブル部１０８は、メール機能に関する検定試験の合否結果と、合否結果の更新を行った更新日と、メール機能の利用制限を解除する有効期限と、検定試験の合否を判定するための合否基準と、を記憶する。なお、合否基準は、何問中、何問正解すれば、検定試験に合格とするかを定めた基準である。また、有効期限は、管理者により入力受付部１０２を介して入力される。
【００３０】
再び、図１を参照すると、合否判定部１０９は、利用者により入力された回答の正誤の判定結果が回答照合部１０７から出力されると、ステータステーブル部１０８に記憶された合否基準に達しているか否かを判定し、合否基準に達していれば合格と判定し、達していなければ不合格と判定する。また、合否判定部１０９は、合否の判定結果を中央制御部１０１に通知する。
【００３１】
メーラ部１１０は、メールの受信や送信、閲覧といったメール機能を管理する。
【００３２】
タイマ部１１１は、利用制限を解除された機能を利用者が利用する場合に、ステータステーブル部１０８に記憶された有効期限を超過していないか否かを判定する。
【００３３】
ＮＧカウンタ部１１２は、利用制限が解除された機能毎に、禁止行為が行われた回数をカウントする。
【００３４】
通信部１１３は、無線基地局２００と通信を行う。
【００３５】
なお、中央制御部１０１は、管理者が予め設定したパスワードを記憶している。そして、中央制御部１０１は、入力受付部１０２を介して入力された内容を、制限テーブル部１０５、検定テーブル部１０６、および、ステータステーブル部１０８に記憶させる際には、まず、パスワードの入力を求め、記憶しているパスワードと一致するパスワードが入力されると、入力者が管理者であると認定し、入力された内容を記憶させる。また、中央制御部１０１は、制限テーブル部１０５、検定テーブル部１０６、および、ステータステーブル部１０８を閲覧する際にもパスワードの入力を求め、管理者のみがこれらを閲覧できるようにする。また、メモリ部１０４に記憶されている電話帳への編集を行なう際にも、パスワードの入力を求める。従って、利用者は、電話帳の閲覧のみが可能である。
【００３６】
次に、本実施形態の携帯端末１００にて行われる検定試験の具体例について、図５を参照して説明する。
【００３７】
図５は、検定試験の際に表示部１０３に表示される画面を示す図である。なお、図５においては、メール機能に関する検定試験を例として説明する。
【００３８】
まず、中央制御部１０１は、検定テーブル部１０６に記憶されている、メール機能に関する１問目の問題を提示する画面５０１を表示部１０３に表示させる。
【００３９】
次に、中央制御部１０１は、検定テーブル部１０６に記憶されている、画面５０１で提示された問題に対する回答の選択肢を示す画面５０２を表示部１０３に表示させる。
【００４０】
次に、中央制御部１０１は、回答の入力を受け付ける画面５０３を表示部１０３に表示させる。
【００４１】
入力受付部１０２は、回答が入力されると、入力された回答を回答照合部１０７に出力し、中央制御部１０１は、次の問題を提示する画面を表示部１０３に表示させる。以下、規定数の問題に対する回答が入力されるまで、同じ処理が繰り返される。なお、出題される問題の規定数は、１０問であるとする。
【００４２】
１０問目の問題に対する回答が入力されると、回答照合部１０７は、入力された回答と検定テーブル部１０６に記憶された回答とを照合して正誤を判定し、判定結果を合否判定部１０９に出力する。
【００４３】
合否判定部１０９は、回答照合部１０７から出力された正誤の判定結果がステータステーブル部１０８に記憶された合否基準に達しているか否かを判定する。ここで、合否基準は、１０問中８問以上正解すれば、検定試験に合格とするものであるとする。
【００４４】
合否判定部１０９は、回答照合部１０７から出力された正誤の判定結果が、合否基準に達していれば合格と判定し、合否基準に達していなければ不合格と判定し、判定結果を中央制御部１０１に通知する。
【００４５】
中央制御部１０１は、検定試験に合格した旨が合否判定部１０９から通知されると、検定試験に合格したことを示す画面５０４を表示部１０３に表示させる。
【００４６】
次に、本実施形態の携帯端末１００の動作について説明する。
【００４７】
図６は、携帯端末１００の動作を示すフローチャートである。
【００４８】
なお、以下では、管理者により入力受付部１０２を介してメール機能の利用制限の設定が入力され、中央制御部１０２は、メーラ部１１０を起動させないようにすることで、メール機能の利用制限を行なっているものとする。
【００４９】
利用者によりメーラ部１１０の起動を要求する操作が入力されると（ステップＳ６０１）、中央制御部１０１は、ステータステーブル部１０８に記憶されたメール機能に関する検定試験の合否結果を確認する（ステップＳ６０２）。
【００５０】
合否結果が「不合格」である場合（ステップＳ６０３：Ｎｏ）、中央制御部１０１は、メール機能に関する検定試験を実施する（ステップＳ６０４）。
【００５１】
中央制御部１０１は、検定試験の結果、合否判定部１０９から合格である旨が通知されると、合否結果を「合格」に更新する。また、中央制御部１０１は、ステータステーブル部１０８の更新日を当日の日付に更新する（ステップＳ６０５）。
【００５２】
一方、合否結果が「合格」である場合（ステップＳ６０３：Ｙｅｓ）、中央制御部１０１は、タイマ部１１１にステータステーブル部１０８に記憶された有効期限内であるか否かを判定させる。
【００５３】
有効期限内でない場合（ステップＳ６０６：Ｎｏ）、中央制御部１０１は、ステップＳ６０４の処理に進む。
【００５４】
一方、有効期限内である場合、（ステップＳ６０６：Ｙｅｓ）中央制御部１０１は、制限テーブル部１０５を確認し（ステップＳ６０７）、現在時刻が制限時間外であるか否かを判定する。
【００５５】
現在時刻が制限時間外でない場合（ステップＳ６０８：Ｙｅｓ）、中央制御部１０１は、メーラ部１１０を起動させる（ステップＳ６０９）。メーラ部１１０が起動することにより、メール機能の利用制限が解除される。
【００５６】
メーラ部１１０が起動すると、中央制御部１０１は、メールを作成する操作が入力されたか、メールを閲覧する操作が入力されたかを判定する（ステップＳ６１０）。
【００５７】
メールを閲覧する操作が入力された場合（ステップＳ６１０：Ｎｏ）、中央制御部１０１は、表示部１０３にメール閲覧用の画面を表示させる（ステップＳ６１１）。
【００５８】
一方、メールを作成する操作が入力された場合（ステップＳ６１０：Ｙｅｓ）、中央制御部１０１は、メール編集画面を表示部１０３に表示させる（ステップＳ６１２）。
【００５９】
メール編集画面に応じ、メール本文およびあて先の入力操作が行われ（ステップＳ６１３，ステップＳ６１４）、次いで、メールの送信操作が入力されると（ステップＳ６１５）、中央制御部１０１は、制限テーブル部１０５を確認し（ステップＳ６１６）、メール本文に制限文字が含まれていないか否かを判定する（ステップＳ６１７）。
【００６０】
メール本文に制限文字が含まれていない場合（ステップＳ６１７：Ｙｅｓ）、中央制御部１０１は、制限テーブル部１０５を確認し（ステップ５１８）、メールのあて先が制限通信相手ではないか否かを判定する。ここで、制限通信相手として「電話帳未登録」が登録されているとすると、中央制御部１０１は、メールのあて先が電話帳に登録されているか否かを判定する。
【００６１】
メールのあて先が電話帳に登録されている場合（ステップＳ６１９：Ｙｅｓ）、中央制御部１０１は、メーラ部１１０にメールを送信するように指示し、メーラ部１１０は、通信部１１３を介して無線基地局２００にメールを送信する（ステップＳ６２０）。
【００６２】
一方、中央制御部１０１は、現在時刻が制限時間内である場合（ステップＳ６０８：Ｎｏ）、メール本文に制限文字が含まれている場合（ステップＳ６１７：Ｎｏ）、また、メールのあて先が制限通信相手である場合（ステップＳ６１９：Ｎｏ）、禁止行為に該当するため、メール機能の利用を制限する。
【００６３】
さらに、中央制御部１０１は、メール機能の利用を制限した理由であるＮＧ理由を示す画面を、画面ポップアップ等で表示部１０３に表示させる（ステップＳ６２１）。
【００６４】
次に、中央制御部１０１は、ＮＧカウンタ部１１２による禁止行為のカウント数を確認し（Ｓ６２２）、今回の禁止行為が１回目であるか否かを判定する（ステップＳ６２３）。
【００６５】
今回の禁止行為が１回目である場合（ステップＳ６２３：Ｙｅｓ）、中央制御部１０１は、ＮＧカウンタ部１１２のカウント数を１増加させる。
【００６６】
また、中央制御部１０１は、検定テーブル部１０６に記憶されたアドバイスを示す画面を表示部１０３に表示させ（ステップＳ６２５）、その後、待ち受け画面を表示させる（ステップＳ６２６）。
【００６７】
一方、今回の禁止行為が１回目でない場合（ステップＳ６２３：Ｎｏ）、中央制御部１０１は、管理者あてに禁止行為が行われたことを通知する通知メールの送信をメーラ部１１０に指示し、メーラ部１１０は、通信部１１３を介して管理者の有する携帯端末等に通知メールを送信する（ステップＳ６２７）。なお、管理者の有する携帯端末等のあて先は、予め、メモリ部１０４に記憶されている。禁止行為が行われたことが通知されることで、管理者は、利用者のルール遵守状況を監視し、指導を行うことができる。
【００６８】
次に、中央制御部１０１は、今回の禁止行為が２回目であるか否かを判定する（ステップＳ６２８）。
【００６９】
今回の禁止行為が２回目である場合（ステップＳ６２８：Ｙｅｓ）、中央制御部１０１は、ＮＧカウンタ部１１２のカウント数を１増加させ（ステップＳ６２９）、ステップＳ６２５の処理に進む。
【００７０】
一方、今回の禁止行為が２回目でない場合（ステップＳ６２８：Ｎｏ）、中央制御部１０１は、ステータステーブル部１０８の合否結果を「不合格」に更新し、ＮＧカウンタ部１１２のカウント数をリセットして（ステップＳ６３０）、ステップＳ６２５の処理に進む。
【００７１】
なお、本実施形態では、禁止行為の回数に応じて、アドバイスを示す画面を表示したり、管理者に通知したり、メール機能の利用制限を行なったりする例を用いて説明したが、これに限られるものではない。例えば、ある機能についての禁止行為の回数に応じて、その機能の一部または全部の利用を制限するようにしてもよい。
【００７２】
このように、本実施形態によれば、携帯端末１００は、自機の有する機能に関する検定試験に利用者が合格すれば、その機能の利用制限を解除する。
【００７３】
そのため、利用者が携帯端末１００の機能に関する知識やモラルを理解し、検定試験に合格することで初めて、その機能の利用制限が解除されるので、理解が不十分であるために、利用者がトラブルに巻き込まれる可能性を低減することができる。
【００７４】
また、本実施形態によれば、携帯端末１００は、管理者による検定試験の問題および合否基準の入力を受け付ける。
【００７５】
そのため、利用者のレベルにあった検定試験の内容とすることができる。
【００７６】
また、本実施形態によれば、携帯端末１００は、利用制限を解除した機能について、利用者が禁止行為を行った回数に応じて、その機能の一部または全部の利用を制限する。
【００７７】
そのため、管理者との間で事前に取り決めたルールを守れない利用者に対して、禁止行為の回数に応じて制限内容を変えることができる。
【００７８】
なお、本実施形態においては、検定試験の問題を管理者が入力する例を用いて説明したが、これに限られるものではない。例えば、携帯端末１００がネットワークを介して問題をダウンロードするようにしてもよい。
【００７９】
図７は、携帯端末１００が検定試験の問題をダウンロードする際の動作を示すフローチャートである。
【００８０】
中央制御部１０１は、検定試験の問題のダウンロードを要求する操作が入力されると、通信部１１３に無線基地局２００を介して、ネットワーク上の検定試験の問題を管理するサーバと接続させる。
【００８１】
中央制御部１０１は、サーバから検定試験の問題のダウンロード用の画面のデータが送信されてくると、中央制御部１０１は、ブラウザを起動し（ステップＳ７０１）、そのダウンロード用の画面を表示部１０３に表示させる。
【００８２】
ダウンロードを実行する操作が入力されると、中央制御部１０１は、通信部１１３にサーバから検定試験の問題をダウンロードさせる（ステップＳ７０２）。
【００８３】
ダウンロードが完了すると、中央制御部１０１は、検定テーブル部１０６に記憶されている問題をダウンロードされた問題に更新する（ステップＳ７０３）。
【００８４】
次に、中央制御部１０１は、ダウンロードされた問題を編集するか否かを確認する画面を表示部１０３に表示させる（ステップＳ７０４）。
【００８５】
編集しない旨の操作が入力されると、中央制御部１０１は、ステータステーブル部１０８の有効期限および合否基準の入力を要求する画面を表示部１０３に表示させ、入力された有効期限および合否基準を記憶させる（ステップＳ７０５）。
【００８６】
一方、編集する旨の操作が入力されると、入力された操作に応じて、ダウンロードされた問題を編集して、検定テーブル部１０６に記憶させ（ステップＳ７０６）、ステップＳ７０５の処理に進む。
【００８７】
また、本実施形態においては、利用制限を行う機能がメール機能である例を用いて説明したが、これに限られるものではない。例えば、携帯端末１００がゲーム機能を有している場合には、ゲーム機能の利用制限を行うことも可能である。
【００８８】
図８は、携帯端末１００がゲーム機能の利用制限を行う際の動作を示すフローチャートである。
【００８９】
ゲーム機能を起動する操作が入力されると（ステップＳ８０１）、中央制御部１０１は、制限テーブル部１０５を確認する。
【００９０】
ここで、制限テーブル部１０５は、ゲーム機能の利用制限条件として、ゲームを行った累積時間が所定時間以内の場合のみ、ゲーム機能を起動すると記憶しているものとする。また、タイマ部１１１は、ゲームを行った累積時間を計測しているものとする。
【００９１】
中央制御部１０１は、タイマ部１１１により計測されている累積時間が所定時間以内であるか否かを判定する（ステップＳ８０２）。
【００９２】
累積時間が所定時間を越えている場合、中央制御部１０１は、ゲーム機能の利用を制限し、待ち受け画面を表示部１０３に表示させる（ステップＳ８０３）。
【００９３】
一方、累積時間が所定時間以内である場合、中央制御部１０１は、ゲーム機能を起動させ、ゲーム画面を表示部１０３に表示させる（ステップＳ８０４）。
【００９４】
また、本実施形態においては、検定試験に出題された問題の正解数のみに応じて検定試験の合否を判定する例を用いて説明したが、これに限られるものではない。例えば、検定試験に出題される問題に優先度を付けてもよい。
【００９５】
図９は、検定テーブル部１０６の他の構成を示す図である。図９に示すように、特定の問題（第一問）に星印で示されるフラグを付け、正解数が合否基準に達するとともに、その特定の問題に正解することで、検定試験に合格したと判定するようにしてもよい。
【００９６】
また、本実施形態においては、管理者が機能の利用制限を設定する例を用いて説明したが、これに限られるものではない。例えば、所定の機能については、予め利用制限をしておくようにしてもよい。
【符号の説明】
【００９７】
１００    携帯端末
１０１    中央制御部
１０２    入力受付部
１０３    表示部
１０４    メモリ部
１０５    制限テーブル部
１０６    検定テーブル部
１０７    回答照合部
１０８    ステータステーブル部
１０９    合否判定部
１１０    メーラ部
１１１    タイマ部
１１２    ＮＧカウンタ部
１１３    通信部
２００    無線基地局
５０１〜５０４    表示画面
【図１】
2012070143.tif 000003
【図２】
2012070143.tif 000004
【図３】
2012070143.tif 000005
【図４】
2012070143.tif 000006
【図５】
2012070143.tif 000007
【図６】
2012070143.tif 000008
【図７】
2012070143.tif 000009
【図８】
2012070143.tif 000010
【図９】
2012070143.tif 000011